(57)【要約】  表示システム（１００）は、第１表示装置（１）と第２表示装置（４）とを備える。第１表示装置（１）は、可変オブジェクト用の表示装置であり、可変オブジェクトを予め定められた領域に表示する。第２表示装置（４）は、不変オブジェクト用の表示装置であり、不変オブジェクトを予め定められた領域に表示する。
2019155623.tif 000002
【特許請求の範囲】
【請求項１】
形状が可変であるオブジェクトを表示可能であり、前記形状が可変であるオブジェクトを予め定められた領域に表示する第１表示装置と、
形状が不変であるオブジェクトを表示可能であり、前記形状が不変であるオブジェクトを前記領域に表示する第２表示装置とを備えることを特徴とする表示システム。
【請求項２】
前記第１表示装置による表示と、前記第２表示装置による表示との時間差が、予め定められた時間内であることを特徴とする請求項１記載の表示システム。
【請求項３】
前記第１表示装置は、光を前記領域に投射して、前記形状が可変であるオブジェクトを当該領域に表示するものであり、
前記第２表示装置は、光を前記領域に投射して、前記形状が不変であるオブジェクトを当該領域に表示するものであることを特徴とする請求項１記載の表示システム。
【請求項４】
前記第１表示装置は、プロジェクタであり、
前記第２表示装置は、光を前記領域に投射するための開口を規定する開口部を有するシェードと、当該開口から光を通過させる光源とを有することを特徴とする請求項３記載の表示システム。
【請求項５】
前記第２表示装置と前記領域までの距離は、前記第１表示装置と前記領域までの距離よりも長いことを特徴とする請求項３記載の表示システム。
【請求項６】
前記形状が可変であるオブジェクトは、目的地を示す目的地オブジェクトであり、
前記形状が不変であるオブジェクトは、前記目的地の方向を示す方向オブジェクトであることを特徴とする請求項１記載の表示システム。
【請求項７】
前記形状が可変であるオブジェクトは、人の行動を規制する規制オブジェクトであり、
前記形状が不変であるオブジェクトは、人の注意を促す注意オブジェクトであることを特徴とする請求項１記載の表示システム。
【請求項８】
前記形状が可変であるオブジェクトは、人の属性又は人が利用する施設の情報を示す、人又は施設オブジェクトであり、
前記形状が不変であるオブジェクトは、人の行動を促す行動オブジェクトであることを特徴とする請求項１記載の表示システム。
【請求項９】
物体の検知結果を示すセンシング情報、前記第１表示装置及び前記第２表示装置が備えられた建物の状況を示すビルマネジメント情報、又は、人若しくは当該人が所持する個人デバイスに関する情報を示す個人デバイス情報を用いて、前記第１表示装置及び前記第２表示装置を制御する統合制御部を備えることを特徴とする請求項１記載の表示システム。
【請求項１０】
前記形状が可変であるオブジェクト又は前記形状が不変であるオブジェクトに関連した音を出力する音出力装置を備えることを特徴とする請求項１記載の表示システム。
【発明の詳細な説明】
【技術分野】
【０００１】
この発明は、表示システムに関するものである。
【背景技術】
【０００２】
目的地への誘導等、様々な場面において、情報を表示する表示装置が活用されている。例えば特許文献１には、速度情報の画像を第１の投射部により車両のフロントガラス上に投射し、進行方向の画像を第２の投射部により同フロントガラス上に投射する画像投射装置が記載されている。この特許文献１に記載された画像投射装置によれば、運転手は、速度情報の画像を見ることで速度を知ることができ、また、運転手は、進行方向の画像を見ることで進行方向を知ることができる。
【先行技術文献】
【特許文献】
【０００３】
【特許文献１】特開２０１７―１２２８９５号公報
【発明の概要】
【発明が解決しようとする課題】
【０００４】
表示される情報として、形状が可変であるオブジェクト（以下「可変オブジェクト」という）と形状が不変であるオブジェクト（以下「不変オブジェクト」という）の双方が組み合わされた情報が用いられる場合がある。この場合、可変オブジェクトと不変オブジェクトの双方のオブジェクトの表示に対応するために、従来、オブジェクトの形状を変えて表示することができる表示装置（以下「可変表示装置」という）が用いられてきた。【０００５】
上記のとおり、可変表示装置を用いることで、例えば１台の表示装置でも可変オブジェクトと不変オブジェクトの双方を表示することができる。ところが、１台の可変表示装置を用いて双方のオブジェクトを表示するためには、当該可変表示装置の表示エリアを、片方のオブジェクトのみを表示する場合よりも広くすることとなり、表示エリアを広くすると、光の利用効率が低下してしまうという課題があった。つまり、例えば、可変オブジェクトと不変オブジェクトとの間の領域等、オブジェクトの表示に不要な領域が表示エリア内に存在してしまうことから、光の利用効率が低下する。
例えば上記特許文献１に記載された画像投射装置のような、従来の表示装置は、可変オブジェクトと不変オブジェクトの双方の表示を行う場合の光の利用効率が考慮されたものではなかった。【０００６】
この発明は、上記のような課題を解決するためになされたもので、可変オブジェクトと不変オブジェクトとを表示する際に、双方のオブジェクトを１つの表示装置で表示する場合と比べて、光の利用効率を高めることができる表示システムを得ることを目的とする。
【課題を解決するための手段】
【０００７】
この発明に係る表示システムは、形状が可変であるオブジェクトを表示可能であり、形状が可変であるオブジェクトを予め定められた領域に表示する第１表示装置と、形状が不変であるオブジェクトを表示可能であり、形状が不変であるオブジェクトを当該領域に表示する第２表示装置とを備えることを特徴とするものである。
【発明の効果】
【０００８】
この発明によれば、形状が可変であるオブジェクトを表示する第１表示装置と、形状が不変であるオブジェクトを表示する第２表示装置とを備えるので、形状が可変であるオブジェクト用と形状が不変であるオブジェクト用とで互いに独立して別々の表示装置を採用することができ、光の利用効率を高めることができる。
【図面の簡単な説明】
【０００９】
【図１】実施の形態１に係る表示システムの構成を示す図である。
【図２】図２Ａ及び図２Ｂは、実施の形態１の表示システムが表示する情報の一例を示す図である。
【図３】第２表示装置の構成例を概略的に示す図である。
【図４】図４Ａ及び図４Ｂは、方向オブジェクトがスライドアニメーションにて表示される場合を示す図である。
【図５】第２表示装置を複数個設置した場合に表示される情報の一例を示す図である。
【図６】図６Ａ及び図６Ｂは、実施の形態２の表示システムが表示する情報の一例を示す図である。
【図７】実施の形態２の表示システムが表示する情報の他の一例を示す図である。
【図８】図８Ａ及び図８Ｂは、実施の形態３の表示システムが表示する情報の一例を示す図である。
【図９】図９Ａ及び図９Ｂは、実施の形態３の表示システムが表示する情報の他の一例を示す図である。
【図１０】実施の形態３の表示システムが表示する情報の他の一例を示す図である。
【図１１】図１１Ａ及び図１１Ｂは、実施の形態３の表示システムが表示する情報の他の一例を示す図である。
【発明を実施するための形態】
【００１０】
以下、この発明をより詳細に説明するために、この発明を実施するための形態について、添付の図面に従って説明する。
実施の形態１． 
図１は、実施の形態１に係る表示システム１００の構成を示す図である。
表示システム１００は、第１表示装置１、第１制御部２及び映像ＤＢ（ｄａｔａｂａｓｅ）７を有する可変オブジェクト調整部３と、第２表示装置４及び第２制御部５を有する不変オブジェクト調整部６と、統合制御部８と、音出力装置９とを有する。
【００１１】
第１表示装置１は、形状が可変であるオブジェクト（以下「可変オブジェクト」という）を、予め定められた領域に表示する機能を持つ投射装置である。また、第２表示装置４は、形状が不変であるオブジェクト（以下「不変オブジェクト」という）を、当該予め定められた領域に表示する機能を持つ投射装置である。
オブジェクトとは、人が見る情報であって、１又は複数の文字、図形又は記号等によって表される情報のことである。
【００１２】
以下では、第１表示装置１及び第２表示装置４が、光を予め定められた領域に投射することによって当該領域にオブジェクトを表示するものである場合を例に説明する。この場合、第１表示装置１は、例えば、ＣＲＴ（Ｃａｔｈｏｄｅ  Ｒａｙ  Ｔｕｂｅ）プロジェクタ又は液晶プロジェクタ等の、光を投射することで投射先に映像を表示するプロジェクタである。以下では、第１表示装置１が液晶プロジェクタであるとして説明する。また、第２表示装置４は、例えば、開口部を有するシェードと、光を発して当該シェードの開口部が規定する開口から光を通過させる光源とを有する装置である。シェードは、光源からの光の一部のみを通過させるためのものであり、遮光性を有する素材で形成されている。シェードは、板状又は箱状等、適宜の形状であってよい。シェードと光源の一例については、後述の図３にて示す。
【００１３】
このように、第１表示装置１と第２表示装置４は、互いに異なる表示方式を採用している。第１表示装置１は、ＣＲＴ又は液晶等、オブジェクトを映像として表示する機構であって、オブジェクトの形状を可変とする機構を有する。一方、第２表示装置４は、光源の発光及び非発光を切り替える電気信号を光源へ供給し、部分的に遮光された光源からの光、または、複数の光源のうち発光させた一部の光源からの光のみを、人に視認させる機構を有する。
【００１４】
第１制御部２は、統合制御部８からの統合制御信号を受けて、第１表示装置１を制御する。具体的には、第１制御部２は、投射の開始、投射の終了、予め定められた領域における可変オブジェクトの位置、又は、可変オブジェクトの形状等を制御するための制御信号を、第１表示装置１へ出力する。映像ＤＢ７には、複数の映像データが格納されている。第１制御部２は、統合制御部８からの統合制御信号に応じて映像ＤＢ７から映像データを選択し、制御信号を出力して当該選択した映像データが示す映像を可変オブジェクトとして第１表示装置１に表示させる。
【００１５】
第２制御部５は、統合制御部８からの統合制御信号を受けて、第２表示装置４を制御する。具体的には、第２制御部５は、投射の開始、投射の終了、予め定められた領域における不変オブジェクトの向き、不変オブジェクトのアニメーション方法、又は、予め定められた領域における不変オブジェクトの位置等を制御するための制御信号を、第２表示装置４へ出力する。不変オブジェクトのアニメーション方法としては、例えば、不変オブジェクトの点滅、不変オブジェクトのスライド、又は、不変オブジェクトの各部位を順々に点灯させることが挙げられる。
【００１６】
統合制御部８は、センシング情報、ビルマネジメント情報及び個人デバイス情報を取得し、これらの情報に応じて、可変オブジェクト調整部３及び不変オブジェクト調整部６へ統合制御信号を出力する。統合制御信号は、投射の開始、投射の終了、予め定められた領域におけるオブジェクトの位置、映像ＤＢ７から選択すべき映像データ、予め定められた領域におけるオブジェクトの向き、又は、オブジェクトのアニメーション方法等を指定した信号である。また、統合制御部８は、表示システム１００が備えられた建物に設置された種々の装置の位置、及び、当該建物の空間構造等の情報を有している。
【００１７】
センシング情報は、表示システム１００が備えられた建物に設置された監視カメラ、レーザ又はライダ等から出力される情報である。センシング情報は、歩行者又は車両等の移動体の検知結果を示している。例えば、検知された歩行者又は移動体の位置及び移動方向が、検知結果に示されている。統合制御部８は、センシング情報を用いて、例えば、検知された歩行者又は移動体の周辺の第１表示装置１及び第２表示装置４に投射を開始させると決定する。
【００１８】
ビルマネジメント情報は、表示システム１００が備えられた建物に導入されているビルマネジメントシステムから出力される情報である。ビルマネジメント情報は、当該建物内のエレベータ、エスカレータ、トイレ若しくはドア等の稼働状況、又は、通路上の歩行者数等を示している。
【００１９】
個人デバイス情報は、統合制御部８がスマートフォン等の個人デバイスと無線通信を行うことにより取得する情報である。個人デバイス情報は、個人デバイス内に記憶されている当該個人デバイスを所持する人の属性、又は、当該個人デバイスが認識した当該個人デバイスの位置等を示している。
なお、統合制御部８は、センシング情報、ビルマネジメント情報及び個人デバイス情報のうち複数の情報を用いて第１表示装置１及び第２表示装置４を制御してもよいし、これら３つの情報のうちいずれか１つの情報のみを用いて第１表示装置１及び第２表示装置４を制御してもよい。
【００２０】
第１制御部２、第２制御部５及び統合制御部８は、専用のハードウェア、又は、メモリに格納されるプログラムを実行するＣＰＵ（Ｃｅｎｔｒａｌ  Ｐｒｏｃｅｓｓｉｎｇ  Ｕｎｉｔ）等のプロセッサで実現される。
【００２１】
図２Ａ及び図２Ｂは、実施の形態１の表示システム１００が表示する情報の一例を示す図である。図２Ａ及び図２Ｂに示す情報は、目的地及び目的地の方向を示すことで、当該情報を見た人に対して目的地への誘導という１つの意味を伝えるものである。図２Ａ及び図２Ｂでは、目的地を示す目的地オブジェクト１０と、当該目的地の方向を示す方向オブジェクト１１とが表示されている。目的地オブジェクトが示す目的地としては、トイレ又はエレベータ等といった表示システム１００が備えられた建物に設けられた設備又は施設等が挙げられる。図２Ａ及び図２Ｂでは、目的地オブジェクトが示す目的地がトイレである場合を一例として示している。
【００２２】
図２Ａ及び図２Ｂにおいて、表示システム１００は、廊下の曲がり角の床面を、目的地オブジェクト１０の表示及び方向オブジェクト１１の表示のための光が投射される予め定められた領域としている。予め定められた領域内に目的地オブジェクト１０の表示及び方向オブジェクト１１の表示のための光が投射されることで、双方のオブジェクトが空間的に隣接する。
廊下の曲がり角の壁面には、第１表示装置１及び第２表示装置４が設けられている。
【００２３】
目的地オブジェクト１０は、目的地の状態によって形状が変化する可変オブジェクトであり、第１表示装置１が光を投射することにより表示される。目的地オブジェクト１０は、例えば男性トイレと女性トイレのどちらも利用可能であれば、図２Ａに示す男性トイレと女性トイレとを示す形状のオブジェクトとなる。一方、女性トイレしか利用可能でなくなると、目的地オブジェクト１０は図２Ｂに示す女性トイレのみを示す形状のオブジェクトへと形状が変化する。
なお、各トイレが利用可能であるか否かは、例えばビルマネジメント情報が示すトイレの稼働状況、又は、トイレの清掃スケジュールが予め統合制御部８に設定されることで、統合制御部８での判定が可能である。統合制御部８は、判定結果に応じて、第１制御部２が映像ＤＢ７から選択すべき映像データを決定する。
【００２４】
目的地オブジェクトの他の例としては、入退場ゲートに人を誘導する場合における目的地オブジェクトが考えられる。この場合の目的地オブジェクトは、例えば、当該ゲートが入口専用ゲートになる時間帯と出口専用ゲートになる時間帯とで、形状が変化する。
【００２５】
目的地オブジェクト１０が可変オブジェクトであり、第１表示装置１により表示されるのに対して、方向オブジェクト１１は、不変オブジェクトであり、第２表示装置４により表示される。
図３は、第２表示装置４の構成例を概略的に示す図である。第２表示装置４が有するシェード４Ａには、開口部４ａが形成されている。開口部４ａは、不変オブジェクトである方向オブジェクト１１を表示するための光を予め定められた領域に投射するための開口を規定している。シェード４Ａのうち開口部４ａ以外の部分は、遮光部材４ｂとなっている。また、第２表示装置４が有する光源４Ｂは、開口部４ａが規定する開口から光を通過させる位置に設けられている。不変オブジェクトに関して、「形状が不変である」とは、この開口の形状が不変であることを意味する。したがって、予め定められた領域に表示された不変オブジェクトの形状は、予め定められた領域と第２表示装置４との位置関係等によっては変化しうる。
【００２６】
第１表示装置１は、表示システム１００が表示する情報のうち少なくとも目的地オブジェクト１０の部分を投射範囲とすればよい。また、第２表示装置４は、表示システム１００が表示する情報のうち少なくとも方向オブジェクト１１の部分を投射範囲とすればよい。つまり、第１表示装置１も第２表示装置４も、目的地オブジェクト１０及び方向オブジェクト１１の双方の部分を包含するような広範囲に亘って光を分散させて投射する必要は無い。
また、目的地オブジェクト１０は第１表示装置１が光を投射することにより表示され、方向オブジェクト１１は第２表示装置４が光を投射することにより表示されるので、隣り合う目的地オブジェクト１０と方向オブジェクト１１との間の領域を投射範囲から外して、情報を表示することができる。
また、第１表示装置１と第２表示装置４とは互いに独立した表示装置であるので、第１表示装置１が採用した投射方式とは無関係に、第２表示装置４で採用する投射方式を決定することができる。シェード４Ａと光源４Ｂとを用いた投射は、光源４Ｂからの光をそのまま予め定められた領域に到達させることができるので、光源からの光を液晶パネルで透過させながら最終的に予め定められた領域に到達させる液晶プロジェクタによる投射と比較して、光の利用効率が高い。
【００２７】
表示システム１００とは異なり、可変オブジェクトと不変オブジェクトの双方を１つの表示装置、例えば１つの液晶プロジェクタによりまとめて表示する場合、当該１つの表示装置の投射範囲が広くなるので、当該１つの表示装置は光を広く分散させる必要がある。光を広く分散させた場合、光の利用効率は低下する。
また、上記のように、双方のオブジェクトを１つの表示装置によりまとめて表示する場合、オブジェクト以外の領域である、隣り合う可変オブジェクトと不変オブジェクトとの間の領域も投射範囲に含まれてしまうことになる。オブジェクト以外の領域が投射範囲に含まれる分、情報を表示するにあたっての光の利用効率は低下する。
また、双方のオブジェクトを投射により表示する１つの表示装置が液晶プロジェクタである場合、可変オブジェクトだけでなく不変オブジェクトについても、光の利用効率が低い液晶プロジェクタによる表示となってしまう。
【００２８】
したがって、目的地オブジェクト１０用に第１表示装置１を備え、方向オブジェクト１１用に第２表示装置４を備える表示システム１００は、目的地オブジェクト１０及び方向オブジェクト１１の双方を１つの表示装置例えば１つの液晶プロジェクタで表示する場合と比べて、光の利用効率を高めることができる。光の利用効率が高まることは、省エネルギーにもつながる。
【００２９】
また、図２Ａ及び図２Ｂにも示すように、第１表示装置１と第２表示装置４とは互いに独立していることから、別々の場所に設置することができる。例えば液晶プロジェクタである第１表示装置１は、オブジェクトの形状を変えることができる表示装置であるため、構造が複雑となり、耐久年数が短い。一方、例えばシェード４Ａと光源４Ｂとである第２表示装置４は、オブジェクトの形状を変えなくてよい表示装置であるため、構造が簡素となり、耐久年数が長い。したがって、例えばエレベータ又はエスカレータといった取り替えが難しい構造物の付近に情報を表示する場合、第１表示装置１は当該構造物の外部に設置し、第２表示装置４は当該構造物に内蔵するとよい。このようにすることで、構造物の外部に追加設置される装置数を抑えながら、エレベータ又はエスカレータといった取り替えが難しい構造物の耐久年数への影響も抑えることができる。耐久年数が短い第１表示装置１をエレベータ又はエスカレータといった取り替えが難しい構造物に内蔵してしまうと、第１表示装置１が壊れた場合に当該構造物全体を取り替える事態につながることが考えられ、当該構造物の耐久年数が低下する。
【００３０】
また、オブジェクトの十分な輝度の確保及びオブジェクトの表現の多様性の確保といった点では、オブジェクトが表示される予め定められた領域から第２表示装置４までの距離が、当該領域から第１表示装置１までの距離よりも長くなっているとよい。図２Ａ及び図２Ｂでは、第１表示装置１が壁面の低い位置に設置され、第２表示装置４が壁面の高い位置に設置されることで、床面の予め定められた領域から第２表示装置４までの距離が、当該領域から第１表示装置１までの距離よりも長くなっている。
第１表示装置１と目的地オブジェクト１０が表示される床面との距離を短くすることで、第１表示装置１が液晶プロジェクタであっても目的地オブジェクト１０の輝度を高くすることができ、光の利用効率が高まる。
【００３１】
一方、第２表示装置４と方向オブジェクト１１が表示される床面との距離を長くすることで、スライドアニメーションの際のスライド間隔を広くすること、又は、方向オブジェクト１１を大きく表示することができる。なお、シェード４Ａと光源４Ｂとを用いた第２表示装置４による投射は、光源４Ｂからの光をそのまま予め定められた領域に到達させることができるので、第２表示装置４が床面から遠くとも、方向オブジェクト１１の輝度は十分に確保される。
【００３２】
図４Ａ及び図４Ｂには、目的地の方向をより分かりやすく示すために、方向オブジェクト１１がスライドアニメーションにて表示される場合を示している。スライドアニメーションでは、方向オブジェクト１１としてまず方向オブジェクト１１Ａが表示される。その後、一時的に光源４Ｂの発光が中断され、第２制御部５により制御される不図示の移動機構によってシェード４Ａが移動された後、再度光源４Ｂが発光されることで、方向オブジェクト１１Ａに代わり方向オブジェクト１１Ｂが表示される。更に、その後、一時的に光源４Ｂの発光が中断され、当該移動機構によってシェード４Ａが移動された後、再度光源４Ｂが発光されることで、方向オブジェクト１１Ｂに代わり方向オブジェクト１１Ａが表示される。これらの手順を繰り返すことで、異なる向きを示す方向オブジェクト１１Ａと方向オブジェクト１１Ｂとが、交互に点灯して示される。なお、図４Ａ及び図４Ｂでは、便宜上、方向オブジェクト１１Ａと方向オブジェクト１１Ｂの双方を同時に図示した。
【００３３】
また、光源４Ｂの発光を維持しながら、第２制御部５により制御される不図示の移動機構によってシェード４Ａが移動されることで、方向オブジェクト１１を曲がりくねった軌跡を描きながらスライドするように床面に表示することも可能である。このような方向オブジェクト１１の表示は、目的地へ続く廊下が曲がりくねっている場合、又は、目的地までの詳細な経路を示したい場合等に有用である。なお、予め定められた領域に対して真上から光を投射して方向オブジェクト１１を表示できる位置に第２表示装置４が設置されると、第２表示装置４は、狙った通りの軌跡で方向オブジェクト１１をスライドさせやすくなる。
【００３４】
図４Ａ及び図４Ｂに示したスライドアニメーション、また、上記のように曲がりくねった軌跡を描きながらスライドするように表示されることにより、方向オブジェクト１１は、当該オブジェクトを見る人にとっては形状が変わっていると認識される場合がある。しかしながら、これは、既に述べたように予め定められた領域と第２表示装置４との位置関係等の変化に起因したものである。表示された情報として人が見る前の大元の形状、図３に示した第２表示装置４の構成例では開口部４ａが規定する開口を通過した時点での光の形状は、常に変わらない。
【００３５】
なお、第２表示装置４は、複数個設置されてもよい。このようにすることで、１つの目的地オブジェクト１０と複数の方向オブジェクト１１とで情報を構成することができる。
図５は、第２表示装置４を複数個設置した場合に表示される情報の一例である。複数の方向オブジェクト１１は、同時に光が投射されて表示されてもよいし、順番に光が投射されて表示されるようにしてもよい。複数の方向オブジェクト１１であっても、投射の時間的なタイミングを合わせることで、１つの目的地オブジェクト１０が示す目的地について、その目的地の方向を示すオブジェクトとして表示することができる。
表示した情報によって人の流れをスムーズに誘導することを目的にする場合、流れを誘導したい方向に向かって順番に各方向オブジェクト１１が表示されるようにするとよい。加えて、統合制御部８が個人デバイスＤから取得する個人デバイス情報に基づき、当該個人デバイスＤを所持する人が第１表示装置１及び第２表示装置４に接近したことを検知したタイミングで、その人が行きたい目的地の方向を示す情報が表示されるようにしてもよい。当該情報は、広い空間における誘導のための情報として特に有用である。
【００３６】
なお、上記では、第１表示装置１及び第２表示装置４が光を投射してオブジェクトを表示する場合を例に説明をしたが、第１表示装置１と第２表示装置４の双方又はいずれかがそれ自体で人が直接見る表示画面を備えており、オブジェクトを当該表示画面に表示するものであってもよい。第１表示装置１が、人が直接見る表示画面にオブジェクトを表示するものである場合、第１表示装置１は、例えば液晶ディスプレイである。また、第２表示装置４が、人が直接見る表示画面にオブジェクトを表示する場合、第２表示装置４は、例えば、図３で示したものと同様に光源と当該光源の光を通過させる開口を規定する開口部が形成されたシェードとを備えた装置を表示画面とするか、又は、アレイ状に並べられた複数の光源を表示画面とする。人が直接見る表示画面にオブジェクトを表示するようにした場合の第１表示装置１及び第２表示装置４は、廊下の曲がり角の床面等に埋め込まれて、図２Ａ及び図２Ｂで示したような目的地オブジェクト１０及び方向オブジェクト１１を表示する。
【００３７】
また、上記では、表示システム１００に統合制御部８を備えたが、投射の開始、投射の終了、オブジェクトを表示するための光を投射する位置、映像ＤＢ７から選択すべき映像データ、予め定められた領域におけるオブジェクトの向き、又は、オブジェクトのアニメーション方法等を時間帯ごとに指定した情報を第１制御部２及び第２制御部５に予め設定しておくことで、統合制御部８を省略して表示システム１００が構成されてもよい。
【００３８】
また、上記では、表示システム１００に映像ＤＢ７を備えたが、表示すべき目的地オブジェクト１０の映像データを第１制御部２が都度作成するようにすることで、映像ＤＢ７を省略して表示システム１００が構成されてもよい。
【００３９】
また、上記では、第２表示装置４が複数個設置されて、複数の方向オブジェクト１１が１つの目的地の方向を示す場合を、図５を用いて説明した。第１表示装置１も同様に、複数個設置されて、複数の目的地オブジェクト１０によって、１又は複数の目的地を示すようにしてもよい。
【００４０】
また、表示システム１００は、建物に限らず種々の構造物、例えば歩道脇の電信柱、信号機又はフェンスに備えられて、歩道を通行する人を対象に情報を表示するものであってもよい。
【００４１】
また、表示システム１００は、図１に示すように、音出力装置９を備えて構成されてもよい。音出力装置９は、統合制御部８により制御されて、チャイム又はメロディ等の音を出力するスピーカである。なお、音出力装置９は、アナウンス等の言語を用いた案内音声を出力するものであってもよい。音出力装置９が音を出力することで、表示システム１００が表示する情報の分かりやすさが向上する。要は、音出力装置９は、以下で説明するように、可変オブジェクト又は不変オブジェクトに関連した音を出力する。
【００４２】
例えば、音出力装置９は、可変オブジェクト及び不変オブジェクトが表示される予め定められた領域よりも広い範囲で聞こえるような音を出力して、人に表示システム１００が表示する情報に対する注意を促す。このように、音出力装置９が音を出力することで、情報を見ていない人に当該情報の存在を伝えることができる。
【００４３】
また例えば、音出力装置９は、予め定められた領域に表示されている各オブジェクトの位置で音が鳴っているように聞こえる音を出力する。この場合、音出力装置９は、音が鳴っていると認識されるオブジェクトの位置が移動するように音を出力すること、又は、特定のオブジェクトの位置のみで音が鳴っていると認識されるように音を出力することで、オブジェクトを見るべき順番を人に伝える。例えば、図５を用いて説明すると、音出力装置９は、方向オブジェクト１１が表示される順番に合わせて、音が鳴っていると認識される方向オブジェクト１１の位置が移動するように音を出力して、目的地の方向を強調する。このように、音出力装置９が音を出力することで、情報の意味を補完することができる。このような音の出力は、可変オブジェクト及び不変オブジェクトが表示される予め定められた領域が広範囲に亘る場合に、特に有用である。
【００４４】
また、第１表示装置１と第２表示装置４とを１つの装置として構成してもよい。この場合、当該１つの装置が、表示システム１００に該当する。第１表示装置１と第２表示装置４とを備えて構成された１つの装置は、例えば廊下の曲がり角の壁面に取り付けられて、図２Ａ又は図２Ｂで示したように情報を表示する。
【００４５】
以上のように、実施の形態１によれば、表示システム１００は、可変オブジェクトを表示する第１表示装置１と、不変オブジェクトを表示する第２表示装置４とを備える。可変オブジェクト用と不変オブジェクト用とで互いに独立して別々の表示装置を採用することができ、光の利用効率を高めることができる。また、可変オブジェクトと不変オブジェクトとがそれぞれ最適な状態で表示されることができ、情報の視認性が担保される。
【００４６】
また、第１表示装置１は、光を予め定められた領域に投射して、形状が可変であるオブジェクトを当該領域に表示するものであり、第２表示装置４は、光を予め定められた領域に投射して、形状が不変であるオブジェクトを当該領域に表示するものであることとした。第１表示装置１及び第２表示装置４は、投射角度を変えることで様々な位置にオブジェクトを表示することができるので、人が直接見る表示画面にオブジェクトを表示する場合に比べ、オブジェクトの位置に柔軟性を持たせることができる。
【００４７】
また、第１表示装置１は、プロジェクタであり、第２表示装置４は、光を予め定められた領域に投射するための開口を規定する開口部４ａを有するシェード４Ａと、当該開口から光を通過させる光源４Ｂとを有することとした。プロジェクタは、オブジェクトの形状を容易に変えることができ、シェード４Ａと当該シェード４Ａの開口部４ａが規定する開口から光を通過させる光源４Ｂとを有する装置は、簡素な構造にて形状が不変であるオブジェクトを表示することができる。
【００４８】
また、第２表示装置４と予め定められた領域までの距離は、第１表示装置１と予め定められた領域までの距離よりも長いこととした。このようにすると、第１表示装置１が光を投射して表示する形状が可変であるオブジェクトの輝度を高くすることができる。また、第２表示装置４が光を投射して表示する形状が不変であるオブジェクトの表現の多様性が確保しやすい。
【００４９】
また、形状が可変であるオブジェクトは、目的地を示す目的地オブジェクト１０であり、形状が不変であるオブジェクトは、目的地の方向を示す方向オブジェクト１１であることとした。このように、表示システム１００は、情報を見た人に対して目的地への誘導という１つの意味を伝えることができる。
【００５０】
また、表示システム１００は、物体の検知結果を示すセンシング情報、第１表示装置１及び第２表示装置４が備えられた建物の状況を示すビルマネジメント情報、又は、人若しくは当該人が所持する個人デバイスに関する情報を示す個人デバイス情報を用いて、第１表示装置１及び第２表示装置４を制御する統合制御部８を備えることとした。このようにすると、表示システム１００は、センシング情報、ビルマネジメント情報又は個人デバイス情報に連動した情報の表示を行うことができる。
【００５１】
また、表示システム１００は、形状が可変であるオブジェクト又は形状が不変であるオブジェクトに関連した音を出力する音出力装置９を備えることとした。このようにすると、表示システム１００が表示する情報の分かりやすさを向上させることができる。
【００５２】
実施の形態２．
実施の形態２では、表示システム１００が実施の形態１とは異なる種類の情報を表示する場合について説明する。実施の形態１で述べたように、第１表示装置１及び第２表示装置４は、光を投射してオブジェクトを表示するものでも、人が直接見る表示画面にオブジェクトを表示するものでもよい。
【００５３】
実施の形態２の表示システム１００の構成については、図１を援用する。
図６Ａ及び図６Ｂは、実施の形態２の表示システム１００が表示する情報の一例を示す図である。図６Ａ及び図６Ｂに示す情報は、当該情報を見た人に対して、その人が取るべき行動を、注意すべき対象の存在とともに示すことで、当該情報を見た人に対して注意喚起という１つの意味を伝えるものである。図６Ａ及び図６Ｂでは、規制オブジェクト１２と注意オブジェクト１３とが表示されている。規制オブジェクト１２は、当該オブジェクトを見た人の行動を規制するものである。注意オブジェクト１３は、当該オブジェクトを見た人に注意を促すものである。
【００５４】
規制オブジェクト１２は、人に取らせるべき行動に応じて形状が変化する可変オブジェクトであり、第１表示装置１により表示される。規制オブジェクト１２は、例えば、「ＳＴＯＰ」、「ＧＯ」又は「ＯＫ」といった文字オブジェクトである。また、図６Ａのように、規制オブジェクト１２により、人が立ち止まるべき位置が、線状に示されてもよい。規制オブジェクト１２は、人に対して、その人が取るべき具体的な行動を伝える。
【００５５】
規制オブジェクト１２が可変オブジェクトであり、第１表示装置１により表示されるのに対して、注意オブジェクト１３は、不変オブジェクトであり、第２表示装置４により表示される。注意オブジェクト１３は、注意喚起の対象となる人がいる方向に応じて向きが回転されることで、その人に対して注意すべき対象の存在を伝える。注意オブジェクト１３は、点滅等の適宜のアニメーションにて示されてもよい。
【００５６】
図６Ａ及び図６Ｂでは、廊下の曲がり角の床面を、規制オブジェクト１２及び注意オブジェクト１３が表示される予め定められた領域としている。このように、廊下の曲がり角、ドア前又はエレベータ乗降口等、見えない位置から人が出てくる可能性がある場所において、規制オブジェクト１２と注意オブジェクト１３とが表示されることで、人と人との接触事故を予防することができる。
【００５７】
図７は、実施の形態２の表示システム１００が表示する情報の他の一例を示す図である。図７では、移動体Ｍに第２表示装置４が搭載されている。第２表示装置４は、実施の形態１で既に説明したように例えば光源４Ｂとシェード４Ａとを有する簡素な装置である。したがって、第２表示装置４が移動体Ｍに搭載された場合も、移動体Ｍ全体の質量の増加及び移動体Ｍでの消費電力の増加を抑えることができる。移動体Ｍは、表示システム１００が備えられた建物内を自律的に走行するロボット、又は、当該建物内を人を乗せて走行する車両等である。
【００５８】
図７に示すように、廊下の曲がり角、ドア前又はエレベータ乗降口等、見えない位置から移動体Ｍが出てくる可能性がある場所において、規制オブジェクト１２と注意オブジェクト１３とが表示されることで、人と移動体Ｍとの接触事故を予防することができる。
なお、第１表示装置１による規制オブジェクト１２の表示と、第２表示装置４による注意オブジェクト１３の表示との時間差が、予め定められた時間内になるようにして、双方のオブジェクトが時間的に近いタイミングで表示されるようにするとよい。移動体Ｍが廊下の曲がり角、ドア前又はエレベータ乗降口等に近づいたタイミングで第１表示装置１による投射と第２表示装置４による投射とが行われることで、廊下の曲がり角、ドア前又はエレベータ乗降口等にいる人に向けての情報が表示される。表示システム１００による情報が常時表示されている場合、人はむしろ当該情報に気付かないことがある。移動体Ｍが廊下の曲がり角、ドア前又はエレベータ乗降口等に近づいて初めて表示システム１００により情報が表示されるようにすることで、人に気付かれやすく、注意喚起をより効果的に伝えることができる。図７以外の場合においても同様であり、可変オブジェクトと不変オブジェクトとが時間的に近いタイミングで表示されることで、情報が人に気付かれやすくなる。
【００５９】
また、実施の形態１と同様に、音出力装置９は、情報を見ていない人に当該情報の存在を伝えるように音を出力してもよいし、当該情報の意味を補完するように音を出力してもよい。例えば、意味を補完する場合について図７を用いて説明すると、音出力装置９は、人の注意を引きやすい音を、注意オブジェクト１３の位置で鳴っていると認識されるように出力して、注意すべき内容を強調する。
【００６０】
以上のように、実施の形態２によれば、実施の形態１と同様の効果を得ることができる。
また、形状が可変であるオブジェクトは、人の行動を規制する規制オブジェクト１２であり、形状が不変であるオブジェクトは、人の注意を促す注意オブジェクト１３であるので、情報を見た人に対して注意喚起という１つの意味を伝えることができる。
【００６１】
また、第１表示装置１による表示と、第２表示装置４による表示との時間差が、予め定められた時間内であることとした。したがって、情報が人に気付かれやすくなる。また、情報が示している注意喚起の内容を、当該情報を見た人が理解しやすくなり、情報を見た人は、状況を理解した上で接触事故等を避けるための行動を取ることができる。
【００６２】
実施の形態３．
実施の形態３では、表示システム１００が実施の形態１及び形態２とは異なる種類の情報を表示する場合について説明する。実施の形態１で述べたように、第１表示装置１及び第２表示装置４は、光を投射してオブジェクトを表示するものでも、人が直接見る表示画面にオブジェクトを表示するものでもよい。
【００６３】
実施の形態３の表示システム１００の構成については、図１を援用する。
実施の形態３の表示システム１００が表示する情報は、人の属性又は施設の情報を、推奨される行動とともに示すことで、当該情報を見た人に対して使い方という１つの意味を伝えるものである。当該情報としては、図８Ａ及び図８Ｂに示すように、人又は施設オブジェクト１４と行動オブジェクト１５とが表示される。人又は施設オブジェクト１４は、人の属性又は人が利用する施設の情報を示すものである。行動オブジェクト１５は、人の行動を促すものである。
【００６４】
人又は施設オブジェクト１４は、エレベータ、エスカレータ、トイレ若しくはドア等の稼働状況、又は、通路を歩く人の人数若しくは属性等に応じて形状が変化する可変オブジェクトであり、第１表示装置１により表示される。
【００６５】
人又は施設オブジェクト１４が可変オブジェクトであり、第１表示装置１により表示されるのに対して、行動オブジェクト１５は、不変オブジェクトであり、第２表示装置４により表示される。行動オブジェクト１５は、エレベータ、エスカレータ、トイレ若しくはドア等の稼働状況、又は、通路を歩く人の人数若しくは属性等に応じて位置が変化又は向きが回転されることもある。また、行動オブジェクト１５は、点滅等の適宜のアニメーションにて示されてもよい。
【００６６】
図８Ａ及び図８Ｂは、実施の形態３の表示システム１００が表示する情報の一例である。図８Ａ及び図８Ｂでは、エレベータ前の床面を、人又は施設オブジェクト１４及び行動オブジェクト１５が表示される予め定められた領域としている。図８Ａに示すように表示システム１００は、エレベータＢのドアがもうすぐ開く状態である場合に、人又は施設オブジェクト１４と行動オブジェクト１５とを表示することにより、エレベータＢを使うように人を導いている。
そして、仮にエレベータＢのかご内部で階数ボタンが押されるなどしてエレベータの稼働状況が変化し、エレベータＢから降りる人がいる場合、図８Ｂに示すように、人又は施設オブジェクト１４は、「降りる人がいます」という形状に変化する。これにより、エレベータホールにいる人に対して、降りる人に注意してエレベータを使うように伝える情報が表示される。このように、階数ボタンを押して降りる階を指定したなどの、エレベータのかご内部という見えない位置にいる人の状態に応じて、人又は施設オブジェクト１４の形状が変化する。
【００６７】
図９Ａ及び図９Ｂは、実施の形態３の表示システム１００が表示する情報の他の一例である。人又は施設オブジェクト１４は、当該情報を見た人が使用すべき列車又はエレベータを示している。行動オブジェクト１５は、当該情報を見た人が向かうべき方向を示している。
図９Ａは、駅の改札での表示システム１００の適用例であり、自動改札機の周辺を、人又は施設オブジェクト１４及び行動オブジェクト１５が表示される予め定められた領域としている。第１表示装置１は、液晶ディスプレイであり、自動改札機に設けられている。人が自動改札機を通過する際に、例えば「東京行き」という人又は施設オブジェクト１４が自動改札機に設けた第１表示装置１に表示される。第２表示装置４は、行動オブジェクト１５を自動改札機周辺の床等に表示するものである。図９Ａに示した例では、行動オブジェクト１５は、例えば、東京行きの列車が発車するホームの方向を示している。人又は施設オブジェクト１４の形状は、情報を表示する対象となる人の属性に応じて変化する。例えば、大阪に行くことが人の属性として得られている場合は、「大阪行き」という人又は施設オブジェクト１４が第１表示装置１に表示される。また、行動オブジェクト１５は不変オブジェクトであるが、どこに行くかという人の属性に応じて、示す方向のみが変わる。
【００６８】
図９Ｂは、エレベータでの表示システム１００の適用例であり、エレベータ前の床面を、人又は施設オブジェクト１４及び行動オブジェクト１５が表示される予め定められた領域としている。「Ｃ」という人又は施設オブジェクト１４が、エレベータＣ前に表示される。このときの行動オブジェクト１５は、エレベータＣへ向かう方向を示している。人の属性に応じて人又は施設オブジェクト１４の形状は変化する。例えば、勤務先のオフィスがＮ階にある人に向けて情報を表示する場合、エレベータＣがＮ階をとばして運転される設定になっていると、Ｎ階を停止階に含むエレベータＡ前の床等に「Ａ」という人又は施設オブジェクト１４が表示される。また、行動オブジェクト１５は不変オブジェクトであるが、示す方向のみが、人の属性に応じてエレベータＡへ向かう方向に変わる。
【００６９】
図１０は、実施の形態３の表示システム１００が表示する情報の他の一例であり、エスカレータの乗り場を、人又は施設オブジェクト１４及び行動オブジェクト１５が表示される予め定められた領域としている。人又は施設オブジェクト１４は、エスカレータの使い方を示す動画となっている。このときの行動オブジェクト１５は、エスカレータを使う人に推奨される足の位置、及び、エスカレータステップでの通路幅等を示している。人又は施設オブジェクト１４は、エスカレータの使い方を示す動画として、形状が変化して示される。一方、行動オブジェクト１５は不変オブジェクトであり、例えば混雑状況に応じて表示位置のみが変わる。例えば、エスカレータが混雑していないときは、混雑しているときに比べて、エスカレータを使う人に推奨される足の位置を示す行動オブジェクト１５の位置が、エレベータステップにより近づいた位置になる。
【００７０】
図１１Ａ及び図１１Ｂは、実施の形態３の表示システム１００が表示する情報の他の一例であり、廊下の床面を、人又は施設オブジェクト１４及び行動オブジェクト１５が表示される予め定められた領域としている。人又は施設オブジェクト１４は、時間帯又は通路を利用する人に応じて、形状が変化して示される。例えば図１１Ａ及び図１１Ｂに示すように、車椅子利用者がいる場合には、人又は施設オブジェクト１４は「車椅子専用レーン」という形状に変化する。行動オブジェクト１５は、通路の中央線及び通路の進行方向等を示している。行動オブジェクト１５は不変オブジェクトであり、例えば時間帯に応じて位置又は向き等のみが変わる。
【００７１】
また、実施の形態１と同様に、音出力装置９は、情報を見ていない人に当該情報の存在を伝えるように音を出力してもよいし、当該情報の意味を補完するように音を出力してもよい。例えば、意味を補完する場合について図９Ａを用いて説明すると、音出力装置９は、人の注意を引きやすい音を、まず人又は施設オブジェクト１４、次に行動オブジェクト１５の位置で鳴っていると認識されるように出力して、人の視線を誘導する。また例えば、意味を補完する場合について図９Ｂを用いて説明すると、音出力装置９は、人の注意を引きやすい音を、まず行動オブジェクト１５、次に人又は施設オブジェクト１４の位置で鳴っていると認識されるように出力して、人の視線を誘導する。
【００７２】
以上のように、実施の形態３によれば、実施の形態１と同様の効果を得ることができる。
また、形状が可変であるオブジェクトは、人の属性又は人が利用する施設の情報を示す、人又は施設オブジェクト１４であり、形状が不変であるオブジェクトは、人の行動を促す行動オブジェクト１５であるので、情報を見た人に対して使い方という１つの意味を伝えることができる。エレベータの稼働状況又は人の属性等に応じて形状が変化する人又は施設オブジェクト１４と、行動を促す行動オブジェクト１５とが表示されることで、エレベータ等の施設利用時の満足度の向上に寄与する。
【００７３】
なお、本願発明はその発明の範囲内において、各実施の形態の自由な組み合わせ、あるいは各実施の形態の任意の構成要素の変形、もしくは各実施の形態においての任意の構成要素の省略が可能である。
【産業上の利用可能性】
【００７４】
以上のように、この発明に係る表示システムは、光の利用効率を高めて情報を表示することができるので、例えば、目的地への誘導を行うための表示システムとして用いるのに適している。
【符号の説明】
【００７５】
１  第１表示装置、２  第１制御部、３  可変オブジェクト調整部、４  第２表示装置、４Ａ  シェード、４Ｂ  光源、４ａ  開口部、４ｂ  遮光部材、５  第２制御部、６  不変オブジェクト調整部、７  映像ＤＢ、８  統合制御部、９  音出力装置、１０  目的地オブジェクト、１１，１１Ａ，１１Ｂ  方向オブジェクト、１２  規制オブジェクト、１３  注意オブジェクト、１４  人又は施設オブジェクト、１５  行動オブジェクト、１００  表示システム。
【図１】
2019155623.tif 000003
【図２】
2019155623.tif 000004
【図３】
2019155623.tif 000005
【図４】
2019155623.tif 000006
【図５】
2019155623.tif 000007
【図６】
2019155623.tif 000008
【図７】
2019155623.tif 000009
【図８】
2019155623.tif 000010
【図９】
2019155623.tif 000011
【図１０】
2019155623.tif 000012
【図１１】
2019155623.tif 000013
【手続補正書】
【提出日】平成30年7月2日(2018.7.2)
【手続補正２】
【補正対象書類名】特許請求の範囲
【補正対象項目名】全文
【補正方法】変更
【補正の内容】
【特許請求の範囲】
【請求項１】
形状が可変であるオブジェクトを表示可能であり、前記形状が可変であるオブジェクトを予め定められた領域に表示する第１表示装置と、
形状が不変であるオブジェクトを表示可能であり、前記形状が不変であるオブジェクトを前記領域に表示する第２表示装置とを備えることを特徴とする表示システム。
【請求項２】
前記第１表示装置は、光を前記領域に投射して、前記形状が可変であるオブジェクトを当該領域に表示するものであり、
前記第２表示装置は、光を前記領域に投射して、前記形状が不変であるオブジェクトを当該領域に表示するものであり、
前記第２表示装置は、前記第１表示装置より光の利用効率が高いことを特徴とする請求項１記載の表示システム。
【請求項３】
前記第２表示装置は、
光源と、
前記光源からの光の一部を通過させるシェードであって、形状が不変であり遮光性を有することで前記形状が不変であるオブジェクトの形状を規定する遮光部材を有するシェードとを備えることを特徴とする請求項２記載の表示システム。
【請求項４】
前記第１表示装置は、液晶プロジェクタであることを特徴とする請求項１から請求項３のうちのいずれか１項記載の表示システム。
【請求項５】
前記第１表示装置は、前記第２表示装置より想定される耐久年数が短く、
前記第１表示装置は構造物の外部に設置され、前記第２表示装置は構造物に内蔵されることを特徴とする請求項１から請求項４のうちのいずれか１項記載の表示システム。
【請求項６】
前記第１表示装置による表示と、前記第２表示装置による表示との時間差が、予め定められた時間内であることを特徴とする請求項１から請求項５のうちのいずれか１項記載の表示システム。
【請求項７】
前記第２表示装置と前記領域までの距離は、前記第１表示装置と前記領域までの距離よりも長いことを特徴とする請求項２または請求項３記載の表示システム。
【請求項８】
前記形状が可変であるオブジェクトは、目的地を示す目的地オブジェクトであり、
前記形状が不変であるオブジェクトは、前記目的地の方向を示す方向オブジェクトであることを特徴とする請求項１から請求項７のうちのいずれか１項記載の表示システム。
【請求項９】
前記形状が可変であるオブジェクトは、人の行動を規制する規制オブジェクトであり、
前記形状が不変であるオブジェクトは、人の注意を促す注意オブジェクトであることを特徴とする請求項１から請求項７のうちのいずれか１項記載の表示システム。
【請求項１０】
前記形状が可変であるオブジェクトは、人の属性又は人が利用する施設の情報を示す、人又は施設オブジェクトであり、
前記形状が不変であるオブジェクトは、人の行動を促す行動オブジェクトであることを特徴とする請求項１から請求項７のうちのいずれか１項記載の表示システム。
【請求項１１】
物体の検知結果を示すセンシング情報、前記第１表示装置及び前記第２表示装置が備えられた建物の状況を示すビルマネジメント情報、又は、人若しくは当該人が所持する個人デバイスに関する情報を示す個人デバイス情報を用いて、前記第１表示装置及び前記第２表示装置を制御する統合制御部を備えることを特徴とする請求項１から請求項１０のうちのいずれか１項記載の表示システム。
【請求項１２】
前記形状が可変であるオブジェクト又は前記形状が不変であるオブジェクトに関連した音を出力する音出力装置を備えることを特徴とする請求項１から請求項１１のうちのいずれか１項記載の表示システム。
【請求項１３】
形状が可変であるオブジェクトを表示可能な第１表示装置で、形状が可変であるオブジェクトを予め定められた領域に表示し、
形状が不変であるオブジェクトを表示可能な第２表示装置で、形状が不変であるオブジェクトを前記領域に表示することを特徴とする表示方法。
【手続補正書】
【提出日】平成30年11月15日(2018.11.15)
【手続補正１】
【補正対象書類名】明細書
【補正対象項目名】０００７
【補正方法】変更
【補正の内容】
【０００７】
この発明に係る表示システムは、形状が可変であるオブジェクトを表示可能であり、形状が可変であるオブジェクトを予め定められた１つの面に表示する第１表示装置と、１又は複数の図形のみから構成される、形状が不変であるオブジェクトを表示可能であり、形状が不変であるオブジェクトを当該領域に表示する第２表示装置とを備えることを特徴とするものである。
【手続補正２】
【補正対象書類名】特許請求の範囲
【補正対象項目名】全文
【補正方法】変更
【補正の内容】
【特許請求の範囲】
【請求項１】
形状が可変であるオブジェクトを表示可能であり、前記形状が可変であるオブジェクトを予め定められた１つの面に表示する第１表示装置と、
１又は複数の図形のみから構成される、形状が不変であるオブジェクトを表示可能であり、前記形状が不変であるオブジェクトを前記面に表示する第２表示装置とを備えることを特徴とする表示システム。
【請求項２】
前記第１表示装置は、光を前記面に投射して、前記形状が可変であるオブジェクトを当該領域に表示するものであり、
前記第２表示装置は、光を前記面に投射して、前記形状が不変であるオブジェクトを当該領域に表示するものであり、
前記第２表示装置は、前記第１表示装置より光の利用効率が高いことを特徴とする請求項１記載の表示システム。
【請求項３】
前記第２表示装置は、
光源と、
前記光源からの光の一部を通過させるシェードであって、形状が不変であり遮光性を有することで前記形状が不変であるオブジェクトの形状を規定する遮光部材を有するシェードとを備えることを特徴とする請求項２記載の表示システム。
【請求項４】
前記第１表示装置は、液晶プロジェクタであることを特徴とする請求項１から請求項３のうちのいずれか１項記載の表示システム。
【請求項５】
前記第１表示装置は、前記第２表示装置より想定される耐久年数が短く、
前記第１表示装置は構造物の外部に設置され、前記第２表示装置は構造物に内蔵されることを特徴とする請求項１から請求項４のうちのいずれか１項記載の表示システム。
【請求項６】
前記第１表示装置による表示と、前記第２表示装置による表示との時間差が、予め定められた時間内であることを特徴とする請求項１から請求項５のうちのいずれか１項記載の表示システム。
【請求項７】
前記第２表示装置と前記面までの距離は、前記第１表示装置と前記領域までの距離よりも長いことを特徴とする請求項２または請求項３記載の表示システム。
【請求項８】
前記形状が可変であるオブジェクトは、目的地を示す目的地オブジェクトであり、
前記形状が不変であるオブジェクトは、前記目的地の方向を示す方向オブジェクトであることを特徴とする請求項１から請求項７のうちのいずれか１項記載の表示システム。
【請求項９】
前記形状が可変であるオブジェクトは、人の行動を規制する規制オブジェクトであり、
前記形状が不変であるオブジェクトは、人の注意を促す注意オブジェクトであることを特徴とする請求項１から請求項７のうちのいずれか１項記載の表示システム。
【請求項１０】
前記形状が可変であるオブジェクトは、人の属性又は人が利用する施設の情報を示す、人又は施設オブジェクトであり、
前記形状が不変であるオブジェクトは、人の行動を促す行動オブジェクトであることを特徴とする請求項１から請求項７のうちのいずれか１項記載の表示システム。
【請求項１１】
物体の検知結果を示すセンシング情報、前記第１表示装置及び前記第２表示装置が備えられた建物の状況を示すビルマネジメント情報、又は、人若しくは当該人が所持する個人デバイスに関する情報を示す個人デバイス情報を用いて、前記第１表示装置及び前記第２表示装置を制御する統合制御部を備えることを特徴とする請求項１から請求項１０のうちのいずれか１項記載の表示システム。
【請求項１２】
前記形状が可変であるオブジェクト又は前記形状が不変であるオブジェクトに関連した音を出力する音出力装置を備えることを特徴とする請求項１から請求項１１のうちのいずれか１項記載の表示システム。
【請求項１３】
形状が可変であるオブジェクトを表示可能な第１表示装置で、形状が可変であるオブジェクトを予め定められた１つの面に表示し、
１又は複数の図形のみから構成される、形状が不変であるオブジェクトを表示可能な第２表示装置で、形状が不変であるオブジェクトを前記領域に表示することを特徴とする表示方法。
【国際調査報告】
2019155623.tif 000014
2019155623.tif 000015
2019155623.tif 000016
2019155623.tif 000017